(57)【要約】【課題】係止ばねを要することなく、ガイドレールへの給油に伴って天井部の上面に飛散した油が付着しない高さ位置に導光板を保持することができる。【解決手段】エレベータのかご室１の天井部２に形成された開口部に設けられ、天井部２の上側にそれぞれ配置されたＬＥＤランプ３５、及びこのＬＥＤランプ３５からの光を導く導光板３１と、ＬＥＤランプ３５が取り付けられるとともに、このＬＥＤランプ３５及び導光板３１を覆うように天井部２の上側に配置されるカバー５とを備えたエレベータかご室の照明装置において、下面に、天井部２の開口部からかご室１内に向って突出形成された突出面３４ａを有し、上面に、導光板３１の下面を支持する支持面３４ｂを有し、天井部２の開口部に係止される段付き形状に形成され、支持面３４ｂが天井部２の上面よりも所定高さ高くなるように設定されて導光板３１を保護する保護板３４を備えた。【選択図】図３
2011011873.tif 000002
【特許請求の範囲】
【請求項１】
エレベータのかご室の天井部に形成された開口部に設けられ、上記天井部の上側にそれぞれ配置された光源、及びこの光源からの光を導く導光板と、上記光源が取り付けられるとともに、この光源及び上記導光板を覆うように上記天井部の上側に配置されるカバーとを備えたエレベータかご室の照明装置において、
下面に、上記天井部の上記開口部から上記かご室内に向って突出形成された突出面を有し、上面に、上記導光板の下面を支持する支持面を有し、上記天井部の上記開口部に係止される段付き形状に形成され、上記支持面が上記天井部の上面よりも所定高さ高くなるように設定されて上記導光板を保護する保護板を備えたことを特徴とするエレベータかご室の照明装置。
【請求項２】
請求項１に記載のエレベータかご室の照明装置において、
上記光源がＬＥＤランプから成り、このＬＥＤランプを熱伝導性接着剤によって上記カバーの内側面に接着したことを特徴とするエレベータかご室の照明装置。
【請求項３】
請求項１に記載のエレベータかご室の照明装置において、
上記カバー内の上記導光板の上方に、上記カバーに与えられる外力によるこのカバーの撓みを吸収し得る高さ寸法の空間部を設けたことを特徴とするエレベータかご室の照明装置。
【請求項４】
請求項３に記載のエレベータかご室の照明装置において、
上記導光板の上側の部分と上記カバーの下面のそれぞれに当接するように上記空間部に配置され、上記空間部の高さと同等の高さを有するスペーサを備えたことを特徴とするエレベータかご室の照明装置。
【発明の詳細な説明】
【技術分野】
【０００１】
本発明は、エレベータのかご室の天井部の上側に配置される光源、及びこの光源の光を導く導光板を備えるとともに、これらの光源及び導光板を覆うカバーを備えたエレベータかご室の照明装置に関する。
【背景技術】
【０００２】
この種の従来技術として、特許文献１に示されるものがある。この従来技術は、エレベータのかご室の天井部に形成された開口部に配置される照明装置であって、蛍光ランプやＬＥＤランプから成る光源、及びこの光源からの光を導く導光板と、光源が取り付けられるとともに、この光源及び導光板を覆い、補強を兼ねた反射板と天板とから成る天蓋すなわちカバーとを備えた構成になっている。上述した天蓋すなわちカバーは、保守点検時に作業員が乗ることのできる強度に構成されている。また、導光板の下面に照明カバーが設けられ、この照明カバーを、係止ばねを介して照明カバー枠で支持する構成になっている。このように構成される照明装置は、光源からの光が導光板によって導かれ反射板で反射され、照明カバーを介してエレベータかご室内に照射されるようになっている。
【先行技術文献】
【特許文献】
【０００３】
【特許文献１】特開２００７−２２７２０号公報
【発明の概要】
【発明が解決しようとする課題】
【０００４】
ところで、エレベータにあっては、かごを円滑に昇降させるために、かごを案内するガイドレールに給油が行なわれているが、このガイドレールに給油された油がかごの昇降に伴ってかご室の天井部の上面、すなわち照明装置が配置されている箇所に飛散しやすい。上述した特許文献１に示される従来技術では、照明カバー及び導光板を支持するカバー枠を付勢する係止ばねが劣化したときなどに、導光板の下面が天井板の上面に接近することがあり、上述のように天井部の上面に付着した油が天蓋を形成するカバーの下側から浸入して、導光板に付着しこの導光板を汚す懸念がある。このように導光板が汚れた場合には、天井部の上面、照明カバー、照明カバー枠、及び係止ばねに付着した油を除去する清掃作業に加えて、油で汚れた導光板を新しい導光板に交換する煩雑な保守作業が必要になり、導光板交換のための経費がかかってしまうことになる。
【０００５】
また、導光板を支持する部材として、照明カバーと、照明カバー枠と、係止ばねとの３部品を必要としており、部品数が多く、製作費が高くなりやすい。
【０００６】
本発明は、上述した従来技術における実状からなされたもので、その目的は、係止ばねを要することなく、ガイドレールへの給油に伴って天井部の上面に飛散した油が付着しない高さ位置に導光板を保持することができるエレベータかご室の照明装置を提供することにある。
【課題を解決するための手段】
【０００７】
上記目的を達成するために、本発明に係るエレベータかご室の照明装置は、エレベータのかご室の天井部に形成された開口部に設けられ、上記天井部の上側にそれぞれ配置された光源、及びこの光源からの光を導く導光板と、上記光源が取り付けられるとともに、この光源及び上記導光板を覆うように上記天井部の上側に配置されるカバーとを備えたエレベータかご室の照明装置において、下面に、上記天井部の上記開口部から上記かご室内に向って突出形成された突出面を有し、上面に、上記導光板の下面を支持する支持面を有し、上記天井部の上記開口部に係止される段付き形状に形成され、上記支持面が上記天井部の上面よりも所定高さ高くなるように設定されて上記導光板を保護する保護板を備えたことを特徴としている。
【０００８】
このように構成した本発明は、保護板の段付き形状によって天井部の上面よりも所定高さ高くなるように設定された保護板の支持面によって導光板の下面が支持されるので、導光板の下面は天井部の上面から所定高さ離れるように安定して位置する。これにより、天井部の上面にガイドレールへの給油による油が飛散しカバー内に油が浸入した場合でも、その油が導光板に付着する事態を生じることがない。すなわち、保護板によって、係止ばねを要することなく、ガイドレールへの給油に伴って天井部の上面に飛散した油が付着しない高さ位置に導光板を保持することができ、飛散した油の導光板への付着を確実に防ぐことができる。したがって、天井部の上面、及び保護板に付着した油を清掃する清掃作業は適宜必要となるものの、このようなガイドレールへの給油による油に伴う導光板交換のための保守作業を要することがない。また、導光板を支持する部材が、段付き形状に形成された保護板の１部品で済む。
【０００９】
また、本発明に係るエレベータかご室の照明装置は、上記発明において、上記光源がＬＥＤランプから成り、このＬＥＤランプを熱伝導性接着剤によって上記カバーの内側面に接着したことを特徴としている。このように構成した本発明は、ＬＥＤランプで生じた熱伝導性接着剤を介して効率良くカバーに導き、このカバーにおいて放熱させることができる。
【００１０】
また、本発明に係るエレベータかご室の照明装置は、上記発明において、上記カバー内の上記導光板の上方に、上記カバーに与えられる外力によるこのカバーの撓みを吸収し得る高さ寸法の空間部を設けたことを特徴としている。このように構成した本発明は、何らかの保守作業に際して保守員がカバー上に乗り、カバーに撓みを生じることがあっても、その撓みが所定高さの空間部において吸収され、カバーに加えられた力による光源や導光板の破損を防ぐことができる。
【００１１】
また、本発明に係るエレベータかご室の照明装置は、上記発明において、上記導光板の上側の部分と上記カバーの下面のそれぞれに当接するように上記空間部に配置され、上記空間部の高さと同等の高さを有するスペーサを備えたことを特徴としている。このように構成した本発明は、エレベータかご室内において保護板の下面が押し上げられようとした際には、その押し上げ力が導光板、スペーサを介してカバーに伝えられることになる。したがって、カバーを天井部の上面に強固に固定させておくことにより、このカバー及びスペーサによって上述の押し上げ力による導光板の上方への移動を抑制することができ、光源に対する導光板の安定した位置を維持させることができる。
【発明の効果】
【００１２】
本発明は、下面に、エレベータのかご室の天井部に形成した開口部からかご室内に向って突出する突出面を有し、上面に、光源からの光を導く導光板の下面を支持する支持面を有し、開口部に係止される段付形状に形成され、上述の支持面が天井部の上面よりも高くなるように設定され、導光板を保護する保護板を備えたことから、この保護板によって係止ばねを要することなく、ガイドレールへの給油に伴って天井部の上面に飛散した油が付着しない高さ位置に導光板を保持することができる。したがって、ガイドレールへの給油による油に伴う導光板交換のための保守作業を要することがなく、保守作業に掛かる経費を従来に比べて軽減させることができる。また、導光板を支持する部材が、段付き形状に形成された保護板の１部品で済み、導光板を支持する部品数を少なくすることができ、これによって製作費を従来に比べて安くすることができる。
【図面の簡単な説明】
【００１３】
【図１】本発明に係る照明装置の一実施形態が配置されるエレベータのかご室の内部を、かご室の奥側からかご戸側に向って見た斜視図である。
【図２】図１に示すかご室を天井部の上方から見た平面図である。
【図３】図１のＡ−Ａ断面拡大図である。
【図４】図３のＢ部拡大図である。
【発明を実施するための形態】
【００１４】
以下、本発明に係るエレベータかご室の照明装置の実施の形態を図に基づいて説明する。
【００１５】
図１，２に示すように、エレベータのかご室１の天井部２には、少なくとも１台、例えば４台の本実施形態に係る照明装置３と、換気扇４が設けられている。
【００１６】
図３，４に示すように、本実施形態の照明装置３のそれぞれは、かご室１の天井部に形成された開口部に設けられ、天井部２の上側に配置された光源、例えば複数個のＬＥＤが配列されたＬＥＤランプ３５と、このＬＥＤランプ３５からの光を側端部３１ａから内部に導く導光板３１とを備えている。この導光板３１は、ＬＥＤランプ３５からの光を導入可能な所定の厚さ寸法に形成され、上下面が正方形の６面体構造となっている。また、ＬＥＤランプ３５が取り付けられるとともに、ＬＥＤランプ３５及び導光板３１を覆うように天井部２の上側に配置されるカバー５を備えている。このカバー５は、保守作業において踏まれることを考慮して、十分な強度を有する鉄あるいは硬質アルミニウムなどの金属から成り、例えば締結具を介して天井部２に着脱可能に固定されている。
【００１７】
また、本実施形態の照明装置３のそれぞれは、導光板３１の下側に配置され、この導光板３１を支持するとともに保護する保護板３４を備えている。この保護板３４は、例えば透明なアクリルから成り、下面に、天井部２の上述した開口部からかご室１内に向って突出形成され、例えば天井部２の開口部と略同等の形状寸法に形成された突出面３４ａを有し、上面に、導光板３１の下面を支持し、突出面３４ａよりも大きな形状寸法に形成された支持面３４ｂを有し、天井部２の開口部に係止される段付き形状に形成され、支持面３４ｂが天井部２の上面よりも所定高さ高くなるように設定されている。この所定高さは、ガイドレールを給油する油が天井部２の上面に飛散した場合でも、その天井部２の上面に飛散した油の導光板３１への付着を避けられる高さとなっている。
【００１８】
また、導光板３１の上面を覆うように配置され、紙やアクリル等で形成された白色の反射材から成り、ＬＥＤランプ３５から導光板３１に導かれた光を下方へ反射させる反射シート３２と、保護板３４の上面と導光板３１の下面との間に配置され、乳白色のアクリルで形成され、反射シート３２によって反射されたＬＥＤランプ３５からの光を乱反射させてむらなく均一に拡散させる光拡散シート３３とを備えている。導光板３１と反射シート３２、また、導光板３１と光拡散シート３３と保護板３４とのそれぞれは、図示しない耐熱テープによって接合してある。
【００１９】
なお、カバー５内の導光板３１の上方には、保守員に踏みつけられたときの力等のカバー５に与えられる外力によって生じるカバー５の撓みを吸収し得る高さ寸法の空間部を形成してあるとともに、この空間部内に導光板３１の上側に形成される反射シート３２とカバー５の下面のそれぞれに当接するように、空間部の高さと同等の高さを有し、例えば適度の弾性を有するウレタンから成る複数のスペーサ３６を配置してある。
【００２０】
上述したＬＥＤランプ３５は、通電により光を発する複数個のＬＥＤ発光素子３５ａと、このＬＥＤ発光素子３５ａの回路を構成するプリント基板３５ｂとから構成されている。ＬＥＤ発光素子３５ａは、かご室１の必要照度に応じた数だけ、電気回路とともにプリント基板３５ｂ上に配置され、図示しない点灯回路から電源を供給されて点灯する。プリント基板３５ｂは、ＬＥＤ発光素子３５ａで発生した熱を放熱する放熱面を有し、このプリント基板３５ｂの放熱面が、例えばシリコンゴムから成る熱伝導性接着剤３７によってカバー５の内側面に接着されている。
【００２１】
なお、複数個のＬＥＤ発光素子３５ａのそれぞれは、全てのＬＥＤ発光素子３５ａがかご室１の照明に好適な近似白色光を発光するものでもよく、また、全てのＬＥＤ発光素子３５ａがかご室１内の意匠性を考慮して赤色などの有色光を発光するものでもよく、また、互いに発光色が異なるものを組み合わせて配列してもよい。
【００２２】
このように構成した本発明は、図示しない点灯回路からＬＥＤランプ３５に電源が供給されると、ＬＥＤランプ３５が発光し、このＬＥＤランプ３５の光が、導光板３１の側端部３１ａから内部に導かれ、反射シート３２で下方に反射され、光拡散シート３３でむらなく均一に拡散され、保護板３４を透過してかご室１内を照明する。この際にＬＥＤ発光素子３５ａは発熱し、周囲に比べて温度が上昇する。
【００２３】
一方、カバー５は天井部２に設置されているので、このカバー５の温度はエレベータ昇降路の気温と同程度の温度である。一般に、熱は温度の高い方から低い方へ伝達されるため、高温となったＬＥＤ発光素子３５ａから発せられた熱は、プリント基板３５ｂから、熱伝導性接着剤３７を経て、カバー５へと伝えられ、ＬＥＤ発光素子３５ａに比べて大きな表面積、すなわち大きな放熱面積を有するこのカバー５の表面から昇降路内に放熱される。なお、カバー５は昇降路の空間内に配置されているので、エレベータが駆動され、かご室１が昇降する際にカバー５の周囲に気流が発生する。したがって、この気流によってカバー５に伝えられたＬＥＤ発光素子３５ａの熱をさらに効率よく放熱することができる。
【００２４】
このように構成した本実施形態は、ＬＥＤ発光素子３５ａの発熱をカバー５によって効率よく放熱させることができ、ＬＥＤランプ３５の寿命を長くすることができる。また、カバー５は大きな放熱面積を確保できるので、放熱面積すなわち表面積を大きくするための凹凸部やフィンをカバー５に設けずに済む。したがって、カバー５を単純な形状で、比較的小型の形状とすることができる。
【００２５】
また、保護板３４の段付き形状を介して、天井部２の上面よりも所定高さ高くなるように設定された保護板３４の支持面３４ｂによって導光板３１の下面が支持されるので、導光板３１の下面は天井部２の上面から所定高さ離れるように安定して保持される。これにより、天井部２の上面にガイドレールへの給油による油が飛散しカバー５内に油が浸入した場合でも、その油が導光板３１に付着する事態を生じることがない。すなわち、保護板３４によって、係止ばねを要することなく、ガイドレールへの給油に伴って天井部２の上面に飛散した油が付着しない高さ位置に導光板３１を保持することができ、飛散した油の導光板３１への付着を確実に防ぐことができる。したがって、天井板２の上面に付着した油や保護板３４に付着した油を除去する清掃作業は適宜必要になることはあっても、このような油に伴う導光板３１の交換のための保守作業を要することがなく、保守作業に掛かる経費を軽減させることができる。また、導光板３１を支持する部材が、段付き形状に形成された保護板３４の１部品で済み、導光板３１を支持する部品数を少なくすることができ、製作費を安く抑えることができる。
【００２６】
また、ＬＥＤランプ３５のプリント基板３５ｂとカバー５の内側面とを熱伝導性接着剤３７で接着してあることから、ＬＥＤ発光素子３５ａで発生した熱が熱伝導性接着剤３７を介して効率良くカバー５へ伝えられ、このカバー５において高い精度で放熱させることができ、ＬＥＤ発光素子３５ａの長寿命化の実現に貢献する。
【００２７】
また、導光板３１の上面に反射シート３２を設け、導光板３１と保護板３４の間に光拡散シート３３を設けたことから、上述したようにＬＥＤランプ３５の光を反射シート３２で反射させ、光拡散シート３３で拡散させて、かご室１内の安定した照明を実現できるとともに、反射シート３２及び光拡散シート３３を薄く形成し得ることから、当該照明装置の高さ寸法を低く抑えることができる。
【００２８】
また、カバー５内の導光板３１の上方に、カバー５に与えられる外力によるこのカバー５の撓みを吸収し得る高さ寸法の空間部を設けたことから、何らかの保守作業に際して保守員がカバー５上に乗り、カバー５に撓みを生じることがあっても、その撓みが所定高さの空間部において吸収される。したがって、カバー５に加えられた力によるＬＥＤランプ３５や導光板３１の破損を防ぐことができ、これらのＬＥＤランプ３５や導光板３１の長寿命化の実現に貢献する。
【００２９】
また、導光板３１の上側に位置する部分である反射シート３２とカバー５の下面のそれぞれに当接するようにカバー５の空間部に配置され、空間部の高さと同等の高さを有するスペーサ３６を備えたことから、かご室１内において保護板３４の下面が押し上げられようとした際には、その押し上げ力が導光板、スペーサ３６を介してカバー５に伝えられる。したがって、カバー５を天井部２の上面に強固に固定させておくことにより、このカバー５及びスペーサ３６によって押し上げ力による導光板３４の上方への移動を抑制することができ、ＬＥＤランプ３５に対する導光板３１の安定した位置を維持させることができ、信頼性の高い照明装置が得られる。
【００３０】
なお、上記実施形態は、光源としてＬＥＤランプ３５を備えた構成にしてあるが、このようなＬＥＤランプ３５に代えて、蛍光管等の他の光源を備えるように構成してもよい。
【符号の説明】
【００３１】
１    かご室
２    天井部
３    照明装置
３１  導光板
３１ａ  側端部
３２  反射シート
３３  光拡散シート
３４  保護板
３４ａ  突出面
３４ｂ  支持面
３５  ＬＥＤランプ（光源）
３５ａ  ＬＥＤ発光素子
３５ｂ  プリント基板
３６  スペーサ
３７  熱伝導性接着剤
５    カバー
【図１】
2011011873.tif 000003
【図２】
2011011873.tif 000004
【図３】
2011011873.tif 000005
【図４】
2011011873.tif 000006